(57)【要約】  使い勝手がよい空気調和機等を提供する。空気調和機は、空気の温度または湿度を調節する空気調和運転と、空気を清浄にする空気清浄運転とを含む、空気調和機の運転状態を制御する運転制御手段と、前記空気調和機の停止を指示する停止指示情報を取得する停止指示情報取得手段と、を備え、前記停止指示情報に基づいて前記空気調和機を停止させる際に、前記空気調和運転および前記空気清浄運転の両方が行われている場合、前記運転制御手段は、前記空気調和運転を停止し、前記空気清浄運転を継続する。
2020050114.tif 000002
【特許請求の範囲】
【請求項１】
空気の温度または湿度を調節する空気調和運転と、空気を清浄にする空気清浄運転とを含む、空気調和機の運転状態を制御する運転制御手段と、
前記空気調和機の停止を指示する停止指示情報を取得する停止指示情報取得手段と、を備え、
前記停止指示情報に基づいて前記空気調和機を停止させる際に、前記空気調和運転および前記空気清浄運転の両方が行われている場合、前記運転制御手段は、前記空気調和運転を停止し、前記空気清浄運転を継続する、空気調和機。
【請求項２】
前記停止指示情報に基づいて前記空気調和機を停止させる際に、前記空気清浄運転のみが行われている場合、前記空気清浄運転を停止する、請求項１に記載の空気調和機。
【請求項３】
前記空気調和運転である冷房運転または除湿運転が停止された場合、前記運転制御手段は、前記空気調和機における室内機内部を乾燥させる所定の乾燥運転を行う、請求項１または２に記載の空気調和機。
【請求項４】
前記停止指示情報取得手段が前記停止指示情報を取得した際に、前記空気清浄運転および前記乾燥運転が行われている場合、前記空気清浄運転を停止する、請求項３に記載の空気調和機。
【請求項５】
前記所定の乾燥運転は、前記乾燥運転を所定時間行うものであり、前記所定時間の経過後、前記運転制御手段は、前記乾燥運転を停止する、請求項３または４に記載の空気調和機。
【請求項６】
前記停止指示情報は、遠隔操作装置の操作または切タイマーの設定により、取得される、請求項１〜５のいずれか１項に記載の空気調和機。
【請求項７】
空気の温度または湿度を調節する空気調和運転と、空気を清浄にする空気清浄運転とを含む、空気調和機の運転状態を制御し、
前記空気調和機の停止を指示する停止指示情報を取得し、
前記停止指示情報に基づいて前記空気調和機を停止させる際に、前記空気調和運転および前記空気清浄運転の両方が行われている場合、前記空気調和運転を停止し、前記空気清浄運転を継続する、空気調和方法。
【発明の詳細な説明】
【技術分野】
【０００１】
本発明は、空気調和機、および空気調和方法に関する。本願は、２０１８年９月３日に、日本に出願された特願２０１８−１６４２８１号に基づく優先権を主張するものであり、その内容をここに援用する。
【背景技術】
【０００２】
例えば、特許文献１には、空気調和運転と空気清浄運転とを行うことができる空気調和機が開示されている。
【先行技術文献】
【特許文献】
【０００３】
【特許文献１】特開２００４−１５６９０１号公報
【特許文献２】特開２００７−１９０１９０号公報
【発明の概要】
【発明が解決しようとする課題】
【０００４】
しかしながら、特許文献１の空気調和機では、空気調和運転および空気清浄運転のそれぞれに対応する停止ボタンがあるため、空気調和運転と空気清浄運転との停止を使い分ける必要があり、使い勝手が悪かった。本発明は、より利便性の高い空気調和機等を提供することを目的とする。
【課題を解決するための手段】
【０００５】
本発明の一形態の空気調和機は、空気の温度または湿度を調節する空気調和運転と、空気を清浄にする空気清浄運転とを含む、空気調和機の運転状態を制御する運転制御手段と、前記空気調和機の停止を指示する停止指示情報を取得する停止指示情報取得手段と、を備え、前記停止指示情報に基づいて前記空気調和機を停止させる際に、前記空気調和運転および前記空気清浄運転の両方が行われている場合、前記運転制御手段は、前記空気調和運転を停止し、前記空気清浄運転を継続する。
【図面の簡単な説明】
【０００６】
【図１】第１の実施形態に係る空気調和機の室内機の外観を示す斜視図である。
【図２】上記室内機の縦断面図である。
【図３】第１の実施形態に係る空気調和機のリモコン装置を示す図である。
【図４】第１の実施形態に係る空気調和機の一例を示す図である。
【図５】第１の実施形態に係る空気調和機の制御部の機能的構成の一例を示す図である。
【図６】運転状態情報の一例を示す図である。
【図７】第１の実施形態に係る空気調和機のフローの一例を示す図である。
【図８】第２の実施形態に係る空気調和機の一例を示す図である。
【図９】運転状態情報の別の一例を示す図である。
【図１０】第２の実施形態に係る空気調和機のフローの一例を示す図である。
【発明を実施するための形態】
【０００７】
以下、本発明の実施形態について、図面を参照しつつ説明する。本発明の実施形態においては、室内機と室外機とからなるセパレート型空気調和機を用いて説明する。なお、図面については、同一又は同等の要素には同一の符号を付し、重複する説明は省略する。
【０００８】
（第１の実施形態）
図１は、本実施の形態に係るセパレート型空気調和機の室内機１の外観を示す斜視図である。図２は、上記室内機１の縦断面図である。
【０００９】
図１、図２に示すように、空気調和機の室内機１は、室内機本体２と、室内機本体２の前面に配置される導風板３とを備えている。室内機本体２は、キャビネット４を有しており、キャビネット４の内部に、送風機１３、熱交換器１４等が配されている。なお、室内機本体２を前面（正面）から見て幅方向を左右方向とし、室内機本体２の奥行き方向を前後方向とし、室内機本体２の高さ方向を上下方向とする。
【００１０】
室内機本体２の前面には吹出し口７が形成され、吹出し口７には前記した導風板３が備えられている。室内機本体２の上面には上吸込み口８が形成され、室内機本体２の下面には下吸込み口（吸込み口）９が形成されている。室内機本体２の内部には、上吸込み口８から吹出し口７に至る上空気通路と、下吸込み口９から吹出し口７に至る下空気通路とが形成され、上空気通路と下空気通路とが共通する部分に、送風機１３と熱交換器１４とが配置されている。
【００１１】
上吸込み口８には、空気清浄のための第１フィルタ１５が配設されている。上吸込み口８から吸い込まれた空気は、第１フィルタ１５、送風機１３および熱交換器１４を経て吹出し口７から吹き出される。また、上記導風板３が動作することにより、この吹き出された空気の方向が変えられるようになっている。
【００１２】
下吸込み口９には、空気清浄のための第２フィルタ１６が配設されている。第２フィルタ１６は、例えばＨＥＰＡフィルタ(High  Efficiency  Particulate  Air  Filter)である。下吸込み口９から吸い込まれた空気は、第２フィルタ１６、送風機１３および熱交換器１４を経て吹出し口７から吹き出される。上記第２フィルタ１６は、室内機本体２に脱着可能に設けられたフィルタ保持部品２０に保持されている。なお、第２フィルタ１６として、ＨＥＰＡフィルタ＋静電フィルタとしてもよい。
【００１３】
上記熱交換器１４は、図示しない室外機に配した圧縮機に接続されている。この圧縮機が駆動されると冷凍サイクルが運転され、熱交換器１４は空気と熱交換する。空気調和機は、熱交換器１４による熱交換により冷房運転または暖房運転、除湿運転のいずれかの空気調和運転を行う。本実施形態の空気調和機における空気調和運転においては、第１フィルタ１５および第２フィルタ１６を介して吸い込まれた空気が、吹出し口７から吹き出されるため、吸い込まれる空気の空気清浄を行う空気清浄運転も同時に行われている。言い換えれば、空気清浄運転兼用空気調和運転である。なお、上記空気調和運転の停止は、上記圧縮機２５を停止して、熱交換器１４での熱交換を停止することで行われる。圧縮機２５を停止した状態で送風機１３を駆動させて送風を行う送風運転の場合には、第１フィルタ１５および第２フィルタ１６に空気を通過させているため、空気清浄運転となる。言い換えれば、単独空気清浄運転である。
【００１４】
図３は、本実施形態に係る空気調和機のリモコン装置の一例の概略図である。上記空気調和機は、このリモコン装置により運転の指示が行われる。
【００１５】
図３に示すように、リモコン装置３０は上方に（図面の上側）に表示部３１を有する。この表示部３１の下方に、複数の操作ボタン３２を有する。操作ボタン３２には、冷房運転、暖房運転、除湿運転、室温や外気温など周囲環境に応じて運転内容が自動で切り替わる自動運転を開始するための運転ボタン、運転の停止を指示する停止ボタン、設定温度や設定湿度を設定できる設定ボタン等がある。ユーザが操作ボタン３３を操作したとき、リモコン装置３０は室内機１に操作ボタン３２に応じた操作信号を送信する。本実施形態では、上記リモコン装置３０により空気調和機の運転指示等が行われているが、これに限らず、例えば携帯電話やスマートフォン等の通信端末（携帯端末）から、クラウドサーバ等を介して指示するように構成してもよい。また、図示していないが、例えば上記リモコン装置３０等で運転が開始されない場合などに、応急的に空気調和機を運転させることができる応急運転ボタンが室内機本体２に設けられていてもよい。
【００１６】
図４は、本実施形態にかかる空気調和機の制御部１０１を中心にした主な構成の一部を示す図である。本実施形態にかかる空気調和機は、例えば、制御部１０１、導風板３、送風機１３、熱交換器１４、圧縮機２５、記憶部１０２、計時部１０３、通信部１０４、を含む。制御部１０１は、例えばＣＰＵ、ＭＰＵ等であって、記憶部１０２に格納されるプログラムに従って各種の情報処理を実行する。記憶部１０２は、例えばフラッシュメモリやＲＡＭ等であって、制御部１０１によって実行されるプログラムや、各種のデータを保持する。また、記憶部１０２は、制御部１０１のワークメモリとしても動作する。通信部１０４は、インターフェース等であって、直接またはネットワークを介して、遠隔操作装置（リモコンや携帯端末（携帯電話やスマートフォン）等）と通信する。なお、リモコン装置は双方向通信タイプであれば、室内機から情報を取得する。短方向通信タイプであれば、リモコンから指示を送信するだけで、室内機から情報は取得しない。具体的には、通信部１０４は、例えば、上記遠隔操作装置からの運転指示や停止指示を受信する。また、計時部１０３は、時間を計測する。また、制御部１０１は、導風板３、送風機１３、熱交換器１４、圧縮機２５等のそれぞれに接続され、各部を制御する。
【００１７】
図５は、図４に示す空気調和機における制御部の機能的構成の一例を示す図である。図５に示すように、本実施形態における制御部１０１は、例えば、停止指示情報取得部２０１、運転状態情報取得部２０２、運転制御部２０３を含む。
【００１８】
運転制御部２０３は、空気の温度または湿度を調節する空気調和運転、空気を清浄にする空気清浄運転等を含む、空気調和機の運転状態を制御する。
【００１９】
停止指示情報取得部２０１は、空気調和機の停止を指示する停止指示情報を取得する。この停止指示情報は、例えばリモコン装置等の遠隔操作装置における停止ボタンが押されることにより送信される。この場合には、リモコン装置から赤外線等によって送信された停止指示情報を通信部１０４が受信することにより、停止指示情報取得部２０１が停止指示情報を取得する。上記停止指示情報は、リモコン装置から送信されるものに限らず、例えば携帯電話等の携帯端末から送信されクラウドサーバ等を介して取得された停止指示情報、運転を停止するまでの時間や運転を停止する時刻を設定する切タイマーによる停止指示情報であってもよい。この携帯端末も遠隔操作装置に相当する。また、停止指示情報は、空気調和機の運転を停止させる時点を表す時間情報を含んでもよい。例えば、上記のようにリモコン装置３０の停止ボタンによる停止指示であれば、停止指示情報取得部２０１が停止指示情報を取得した時点の時間情報を含み、切タイマーによる停止指示であれば、実際に停止される時間の時間情報を含む。なお、本実施形態における空気調和機の停止とは、例えば空気調和運転、空気清浄運転等のいずれかを停止させるものである。したがって、上記停止指示情報においては、空気調和運転、空気清浄運転等の特定の運転状態を規定したものではない。
【００２０】
運転状態情報取得部２０２は、停止指示情報に基づいて、空気調和機を停止させる際に、運転状態を表す運転状態情報を取得する。具体的には、運転状態情報取得部２０２は、例えば図６の状態１〜状態４で示されるいずれかの、空気調和運転における各運転モード（冷房運転、除湿運転、暖房運転）と、各モードにおける運転状態とが関連付けられた空気調和運転の運転状態（起動中（ＯＮ）、停止中（ＯＦＦ））、および空気清浄運転の運転状態を含む運転状態情報を取得する。この運転状態情報は、例えば、予め記憶部１０２に記憶されており、例えば運転制御部２０３で運転状態が更新されるたびに、各運転状態のＯＮ／ＯＦＦが書き換えられたものである。より具体的には、運転状態情報取得部２０２は、例えば、冷房運転が行われている場合、空気調和運転における冷房運転とＯＮとが関連付けられた運転状態および空気清浄運転とＯＮとが関連付けられた運転状態を含む運転状態情報を取得する。上記の運転状態情報は一例であって、運転状態を表すものであればこれに限定されるものではない。
【００２１】
そして、運転制御部２０３は、運転状態情報に基づいて、運転状態を制御する。具体的には、運転制御部２０３は、例えば図６に示す状態１〜状態３の運転状態情報を取得した場合は、空気調和運転と空気清浄運転の両方が行われており、空気調和運転（冷房運転、除湿運転、暖房運転）を停止し、空気清浄運転は継続する。一方、運転制御部２０３は、例えば図６に示す状態４のように、空気清浄運転のみが行われている場合、空気清浄運転を停止する。このように、本実施形態では、空気調和運転および空気清浄運転を指定して停止する必要がないため、例えばリモコン装置においては、停止ボタンのみを設ければよく、リモコン装置を小型化し得る。なお、本実施形態では、上述のとおり空気調和運転の際には同時に第１フィルタ１５および第２フィルタ１６を通して空気清浄運転が行われているので、空気調和運転のみの場合については考慮していない。
【００２２】
次に、本実施形態における空気調和機における処理のフローの一例について説明する。図７は本実施形態における空気調和機の処理のフローの一例を示す図である。
【００２３】
図７に示すように、停止指示情報取得部２０１は、空気調和機における運転の停止を指示する停止指示情報を取得する（Ｓ１０１）。運転状態情報取得部２０２は、停止指示情報に基づいて、空気調和機における運転状態を表す運転状態情報を取得する（Ｓ１０２）。運転制御部２０３は、運転状態情報に基づいて、空気調和機における運転状態が、空気調和運転および空気清浄運転の両方が行われているか否かを判断する（Ｓ１０３）。運転制御部２０３は、Ｓ１０３で空気調和運転および空気清浄運転の両方が行われていると判断した場合、空気調和運転を停止し、空気清浄運転は継続する（Ｓ１０４）。一方、運転制御部２０３は、Ｓ１０３で運転状態の空気調和運転および空気清浄運転の両方は行われていないと判断した場合、空気清浄運転のみが行われているか否かを判断する（Ｓ１０５）。運転制御部２０３は、Ｓ１０５で空気清浄運転のみが行われていると判断した場合、空気清浄運転を停止する（Ｓ１０６）。なお、本実施形態では、上述のとおり空気調和運転の際には同時に第１フィルタ１５および第２フィルタ１６を通して空気清浄運転が行われているので、空気調和運転のみの場合については考慮していない。
【００２４】
本実施形態によれば、空気調和運転と空気清浄運転の両方が行われている場合には、空気調和運転のみを停止し、空気清浄運転が継続されるため、空気清浄運転をし続けるニーズに沿った運転を提供できるなど、利便性がよい。
【００２５】
本発明は、上記実施の形態に限定されるものではなく、上記実施の形態で示した構成と実質的に同一の構成、同一の作用効果を奏する構成又は同一の目的を達成することができる構成で置き換えてもよい。
【００２６】
（第２の実施形態）
本実施形態の空気調和機は、図８に示すように、第１の実施形態の空気調和機において、空気清浄のための第１フィルタ１５、第２フィルタ１６を設けず、空気清浄運転を行うための電気集塵器４０を備える点が異なる。この電気集塵器４０は、制御部１０１により制御される。つまり、本実施形態の空気調和機では、第１の実施形態とは異なり、空気清浄運転が、空気調和運転の際に自動的には行われず、電気集塵器４０を制御することにより単独に行われる。
【００２７】
この場合、運転状態情報取得部２０２は、第１の実施形態と同様に、停止指示情報取得部２０１が取得した停止指示情報に基づいて、運転状態情報を取得する。具体的には、運転状態情報取得部２０２は、例えば図９に示す状態１〜９のいずれかの、空気調和運転における各運転モードと、各モードにおける運転状態とが関連付けられた空気調和機における空気調和運転の運転状態および空気清浄運転の運転状態を含む運転状態情報を取得する。
【００２８】
そして、運転制御部２０３は、運転状態情報に基づいて、運転状態を制御する。具体的には、運転制御部２０３は、例えば図９に示す状態１〜状態３のように、空気調和運転と空気清浄運転の両方が行われている場合、空気調和運転を停止し、空気清浄運転は継続する。また、運転制御部２０３は、例えば図９に示す状態４のように、空気清浄運転のみが行われている場合、空気清浄運転を停止する。またさらに、運転制御部２０３は、例えば図９に示す状態５〜状態７のように、空気調和運転（冷房運転、除湿運転、暖房運転のいずれか）のみが行われている場合、運転制御部２０３は空気調和運転（冷房運転、除湿運転、暖房運転）を停止する。
【００２９】
次に、本実施形態における空気調和機における処理のフローの一例について説明する。図１０は本実施形態における空気調和機の処理のフローの一例を示す図である。なお、Ｓ２０１〜Ｓ２０６は第１の実施形態のＳ１０１〜Ｓ１０６と同様である。
【００３０】
図１０に示すように、運転制御部２０３は、Ｓ２０５で空気清浄運転のみではないと判断した場合、空気調和運転のみが行われているか否かを判断する（Ｓ２０７）。運転制御部２０３は、Ｓ２０７で空気調和運転のみが行われていると判断した場合、空気調和運転を停止する（Ｓ２０８）。
【００３１】
本実施形態によれば、空気清浄運転が単独に制御される場合においても、空気調和運転と空気清浄運転の両方が行われている状況で、空気調和装置の停止を指示した場合、空気調和運転のみを停止し、空気清浄運転が継続されるため、例えば空気清浄運転をし続けるニーズに沿った運転を提供でき、利便性がよい。
【００３２】
本発明は、上記実施の形態に限定されるものではなく、上記実施の形態で示した構成と実質的に同一の構成、同一の作用効果を奏する構成又は同一の目的を達成することができる構成で置き換えてもよい。
【００３３】
（第３の実施形態）
次に、本発明の第３の実施形態を説明する。なお、下記において第１、第２の実施形態と同様である点については説明を省略する。本実施形態は、第１の実施形態において、例えば冷房運転や除湿運転の熱交換器に結露が生じる運転を行った後に、さらに乾燥運転を行うものである。
【００３４】
本実施形態における運転制御部２０３は、空気調和機における乾燥運転も制御する。乾燥運転は、例えば、熱交換器１４の水分を蒸発させて、空気調和機の室内機１の内部を乾燥させるための運転である。より具体的には、運転制御部２０３は、冷房運転または除湿運転を停止した場合に、予め設定された所定の乾燥運転を実施する。また、この所定の乾燥運転は、例えば、予め実験等により把握された室内機１の内部を乾燥させることができる所定時間行う。さらに具体的な乾燥運転としては、例えば、
・送風運転のみ第１所定時間行う、
・送風運転を第２所定時間行った後、暖房運転を第３所定時間行う、
・暖房運転を第４所定時間行った後、送風運転を第５所定時間行う、
・暖房運転のみを第６所定時間行う、
などいろいろな乾燥運転が考えられる。例えば、この所定の乾燥運転により、室内機１の内部をより確実に乾燥させることができる。
【００３５】
また、運転制御部２０３は、乾燥運転中に停止指示情報取得部２０１が停止指示情報を取得した場合、乾燥運転を停止せず、所定の乾燥運転を実施する。例えば、空気清浄運転および乾燥運転を行っている際に、停止指示情報取得部２０１が停止指示情報を取得した場合、運転制御部２０３は、停止指示情報を取得した時点では乾燥運転を停止せず所定の乾燥運転を実施し、所定の乾燥運転を行った後に当該乾燥運転を停止する。すなわち、空気清浄運転および乾燥運転を行っている際に、停止指示情報取得部２０１が停止指示情報を取得した時点では、所定時間が経過していなければ、運転制御部２０３は空気清浄運転を停止するが乾燥運転を継続し、所定時間が経過していれば、空気清浄運転を停止する。
【００３６】
なお、実施の形態２の構成を空気調和機が有している場合、運転制御部２０３は、停止指示情報を取得した時点で電気集塵器４０を停止させかつ乾燥運転は継続し、所定の乾燥運転を行った後に当該乾燥運転を停止するようにしてもよい。言い換えれば、空気清浄運転は停止させるが乾燥運転は所定の乾燥運転が完了するまで継続し、完了後、乾燥運転を停止する。また、上記の通り、乾燥運転は停止指示情報の取得にかかわらず、完了まで継続することが好ましいが、乾燥運転のみの実施中に停止指示情報取得２０１が停止指示情報を取得した場合には、運転制御部２０３は当該乾燥運転を停止するようにしてもよい。
【００３７】
冷房運転または除湿運転の際には、熱交換器１４が冷却されることにより結露が生じやすい。そのため、熱交換器１４の結露を放置した場合、カビや細菌等が発生しやすく、室内機１内部を清潔に保つことが困難となり得る。しかしながら、所定の乾燥運転を実施することにより、熱交換器１４が乾燥され、室内機１の内部におけるカビや細菌等の発生が抑制され、室内機１の内部を清潔に保つことができる。
【００３８】
本発明は、上記実施の形態に限定されるものではなく、上記実施の形態で示した構成と実質的に同一の構成、同一の作用効果を奏する構成又は同一の目的を達成することができる構成で置き換えてもよい。
【００３９】
また、例えば、上記所定の乾燥運転は、熱交換器１４の近傍に湿度センサ等を設けて、熱交換器１４が乾燥したか否かを判定し、乾燥したと判定した場合に、停止するように構成したものでもよい。これにより、乾燥の判定を行っているため、よりカビや細菌等の発生を抑制することができる。
【００４０】
（まとめ）
本発明の空気調和機は、空気の温度または湿度を調節する空気調和運転と、空気を清浄にする空気清浄運転とを含む、空気調和機の運転状態を制御する運転制御手段と、前記空気調和機の停止を指示する停止指示情報を取得する停止指示情報取得手段と、を備え、前記停止指示情報に基づいて前記空気調和機を停止させる際に、前記空気調和運転および前記空気清浄運転の両方が行われている場合、前記運転制御手段は、前記空気調和運転を停止し、前記空気清浄運転を継続する。
【００４１】
この構成によれば、空気調和運転と空気清浄運転の両方が行われている状況で、空気調和機の停止を指示した場合、空気調和運転のみを停止し、空気清浄運転が継続されるため、例えば空気清浄運転をし続けるニーズに沿った運転を提供でき、利便性がよい。
【００４２】
本発明の空気調和機は、次のように構成されていてもよく、それらが適宜組み合わされてもよい。
【００４３】
（１）前記停止指示情報に基づいて前記空気調和機を停止させる際に、前記空気清浄運転のみが行われている場合、前記運転制御手段は、前記空気清浄運転を停止するように構成されていてもよい。これにより、運転を特定せずとも上記の停止指示情報で空気清浄運転が停止されるため、利便性がよい。
【００４４】
（２）前記空気調和運転である冷房運転または除湿運転が停止された場合、前記運転制御手段は、前記空気調和機における室内機内部を乾燥させる所定の乾燥運転を行うように構成されていてもよい。これにより、室内機内部を乾燥させることにより、室内機内部におけるカビや細菌等の発生が抑制され、室内機内部を清潔に保つことができる。
【００４５】
（３）前記停止指示情報取得手段が前記停止指示情報を取得した際に、前記空気清浄運転および前記乾燥運転が行われている場合、前記運転制御手段は、前記空気清浄運転を停止するように構成してもよい。これにより、途中で停止されることなく、所定の乾燥運転が行われ、室内機内部におけるカビや細菌等の発生が抑制され、室内機内部を清潔に保つことができる。
【００４６】
（４）前記所定の乾燥運転は、前記乾燥運転を所定時間行うものであり、前記所定時間の経過後、前記運転制御手段は、前記乾燥運転を停止するように構成してもよい。これにより、所定時間の乾燥運転を実施することができ、室内機内部におけるカビや細菌等の発生が抑制され、室内機内部を清潔に保つことができる。
【００４７】
（５）前記停止指示情報は、遠隔操作装置の操作または切タイマーの設定により、取得されるように構成してもよい。これにより、遠隔操作装置や切タイマーで空気調和機の停止指示を行うことができる。
【００４８】
また、本発明の空気調和方法は、空気の温度または湿度を調節する空気調和運転と、空気を清浄にする空気清浄運転とを含む、空気調和機の運転状態を制御し、前記空気調和機の停止を指示する停止指示情報を取得し、前記停止指示情報に基づいて前記空気調和機を停止させる際に、前記空気調和運転および前記空気清浄運転の両方が行われている場合、前記空気調和運転を停止し、前記空気清浄運転を継続する。
【００４９】
この構成によれば、空気調和運転と空気清浄運転の両方が行われている状況で、空気調和機の停止を指示した場合、空気調和運転のみを停止し、空気清浄運転が継続されるため、例えば空気清浄運転をし続けるニーズに沿った運転を提供でき、利便性がよい。
【００５０】
本発明は、上記実施形態に限定されるものではなく、上記実施形態で示した構成と実質的に同一の構成、同一の作用効果を奏する構成又は同一の目的を達成することができる構成で置き換えてもよい。例えば、本実施形態は、互いに矛盾しない限り、上記第１または第２の実施形態と組み合わせて用いてもよい。例えば、第２の実施形態において、第３の実施形態における所定の乾燥運転を実施してもよい。
【図１】
2020050114.tif 000003
【図２】
2020050114.tif 000004
【図３】
2020050114.tif 000005
【図４】
2020050114.tif 000006
【図５】
2020050114.tif 000007
【図６】
2020050114.tif 000008
【図７】
2020050114.tif 000009
【図８】
2020050114.tif 000010
【図９】
2020050114.tif 000011
【図１０】
2020050114.tif 000012
【国際調査報告】
2020050114.tif 000013
2020050114.tif 000014
2020050114.tif 000015
2020050114.tif 000016